(57)【要約】      （修正有）【課題】切欠きを有するカードおよび切欠きを有さないカードの両方を安定して装着できるとともに、小型化（省スペース化）を効果的に図ることができるカード用コネクタを提供する。【解決手段】ハウジング２、３内で、切欠きを有する厚型カードおよび切欠きを有さない薄型カードと共にスライド可能なスライド部材６に、前記第一のカードの切欠きに係合可能な係合部４０を設け、スライド部材６を排出バネ７のほぼ中心軸回りに回動する構成とした。この場合、スライド部材６は、厚型カードの装着時に係合部４０を切欠きに係合するように回動し、薄型カードの装着時に係合部４０を押し逃がすように回動するようにした。【選択図】図２
2011258503.tif 000002
【特許請求の範囲】
【請求項１】
切欠きを有する第一のカードおよび切欠きを有さない第二のカードを装着可能な装着空間を形成するハウジングと、
前記第一のカードおよび前記第二のカードと共に挿入方向及び排出方向に前記ハウジング内をスライド可能に形成され、前記第一のカードの切欠きに係合可能な係合部を有するスライド部材とを備え、
前記スライド部材は、スライド方向に略平行な軸回りに回動可能に前記ハウジングに支持され、前記第一のカードの装着時に前記係合部を前記第一のカードの切欠きに係合するように回動し、前記第二のカードの装着時に前記係合部を押し逃がすように回動することを特徴とするカード用コネクタ。
【請求項２】
前記スライド部材を前記排出方向に付勢するコイル状の付勢部材を更に備え、前記スライド部材が前記付勢部材のほぼ中心軸周りで回動することを特徴とする請求項１に記載のカード用コネクタ。
【請求項３】
前記スライド部材は、前記ハウジングに摺接するその摺動面を介して移動するとともに、前記摺動面の傾斜部によって前記ハウジングに対して回動できることを特徴とする請求項１または請求項２に記載のカード用コネクタ。
【請求項４】
前記スライダの回動軸を挟んで前記係合部側とは逆側を、前記第一のカードおよび前記第二のカードに前記係合部を向かわせる回動方向で付勢する付勢体を更に備えることを特徴とする請求項１ないし請求項３のいずれか１項に記載のカード用コネクタ。
【請求項５】
前記付勢体が前記ハウジングの一部によって形成されることを特徴とする請求項４に記載のカード用コネクタ。
【発明の詳細な説明】
【技術分野】
【０００１】
本発明は、記録媒体としてのカードと電気的に接続して該カードに対する情報の書き込み、またはカードからの情報の読み取りを可能にするカード用コネクタに関する。
【背景技術】
【０００２】
記録媒体としてのカードと電気的に接続して該カードに対する情報の書き込みまたはカードからの情報の読み取りを可能にする従来のカード用コネクタにおいては、装着されたカードの不用意な脱落を防止する機能を有するものが知られている。例えば、挿入されたカードと共にスライド移動するスライド部材を備え、このスライド部材の側部にカードの切欠きとカードの幅方向で弾発的に係合する突起を設けることでカードを保持するカード用コネクタが知られている。
【０００３】
また、特許文献１には、切欠きを有するカードと切欠きを有さないカードの両方のカードを保持できる構造が開示されている。この構造では、前記スライダに片持ち梁状に支持されてカードの厚み方向に変位可能なロック片が設けられ、切欠きを有するカードに対しては、前記ロック片の突起部をカードの切欠きに係合させることでカードの抜け止めを行ない、一方、切欠きを有さないカードに対しては、コネクタに対するカードの装着を妨げないように前記ロック片を下方へ弾性的に変位させつつカードに押し付けてカードを保持するようにしている。
【先行技術文献】
【特許文献】
【０００４】
【特許文献１】特許第３９６５２８２号公報
【発明の概要】
【発明が解決しようとする課題】
【０００５】
しかしながら、前述した従来のカード保持構造のように、スライド部材の側部の突起をカードの切欠きにカードの幅方向で弾発的に係合させる場合には、その弾発に伴う変位量も含めて幅方向で寸法が増大し、コネクタの小型化の妨げになるという問題がある。一方、弾性的に変位可能な押え片（ロック片）によってカードを押圧するカード保持構造では、押え片（ロック片）の強度確保等のために押え片（ロック片）の厚み寸法を大きくする必要があり、これがコネクタの小型化の弊害になる。また、押え片（ロック片）の場合には、切欠きを有さないカードがコネクタ内に長期間にわたって装着されたままの状態にあると、押え片（ロック片）が経時的に塑性変形してしまうおそれがあり、その場合には、その後、切欠きを有するカードの抜け止めが不可能になる可能性もある。
【０００６】
本発明は、かかる点に鑑みてなされたものであり、切欠きを有するカードおよび切欠きを有さないカードの両方を安定して装着できるとともに、小型化（省スペース化）を効果的に図ることができるカード用コネクタを提供することを目的とする。
【課題を解決するための手段】
【０００７】
本発明のカード用コネクタは、切欠きを有する第一のカードおよび切欠きを有さない第二のカードを装着可能な装着空間を形成するハウジングと、前記第一のカードおよび前記第二のカードと共に挿入方向及び排出方向に前記ハウジング内をスライド可能に形成され、前記第一のカードの切欠きに係合可能な係合部を有するスライド部材とを備え、前記スライド部材は、スライド方向に略平行な軸回りに回動可能に前記ハウジングに支持され、前記第一のカードの装着時に前記係合部を前記第一のカードの切欠きに係合するように回動し、前記第二のカードの装着時に前記係合部を押し逃がすように回動することを特徴とする。
【０００８】
この構成によれば、係合部を有するスライド部材がスライド方向に略平行な軸回りに回動可能に前記ハウジングに支持されているため、最小限の移動量（移動範囲）で係合部を第一のカードの切欠きに係合させることができる。そのため、切欠きを有する第一のカードに対しては、係合部をカードの切欠きに係合させることでカードの不用意な脱落を防止する抜け止めを行なうことができる。例えば、カード用コネクタをノートパソコンのようなモバイル機器に使用する場合は、装置の設置姿勢や移動時の振動によってカードが挿入口から脱落することが懸念されるが、このようなカードの不用意な脱落を防止することができる。一方、切欠きを有さない第二のカードに対しては、係合部がカードから押し逃がされるようにスライド部材が回動することで、カードの装着を可能にする。この場合、係合部は、弾性的に変位してカードに押し付くのではなく、スライド部材と一体に回動してカードから退避するため、無理な力がかかって経時的に塑性変形することもない。すなわち、本構成によれば、コネクタの小型化（省スペース化）を効果的に図りつつ、切欠きを有するカードおよび切欠きを有さないカードの両方を安定して装着できる。
【０００９】
また、本発明は、上記構成のカード用コネクタにおいて、前記スライド部材を前記排出方向に付勢するコイル状の付勢部材を更に備え、前記スライド部材が前記付勢部材のほぼ中心軸周りで回動することを特徴とする。
【００１０】
この構成によれば、スライド部材がコイル状の付勢部材のほぼ中心軸周りで回動するため、スライド部材の回動に伴って付勢部材が軸振れすることがない。よって、付勢部材の軸振れ時の逃げスペースを確保する必要がなく、コネクタの更なる小型化（省スペース化）を図ることができる。また、スライド部材の回動に伴って付勢部材が軸振れしないため、スライド部材のカード排出方向への安定した付勢を確保できる。
【００１１】
また、本発明は、上記構成のカード用コネクタにおいて、前記スライド部材は、前記ハウジングに摺接する摺動面を介して移動するとともに、前記摺動面の傾斜部によって前記ハウジングに対して回動できることを特徴とする。
【００１２】
この構成によれば、傾斜部を有する前記摺動面により、カードの厚み方向でのスライド部材の回動と、カードの挿入・排出方向でのスライド部材の移動とを簡単な構成で実現できる。
【００１３】
また、本発明は、上記構成のカード用コネクタにおいて、前記スライダの回動軸を挟んで前記係合部側とは逆側を、前記第一のカードおよび前記第二のカードに前記係合部を向かわせる回動方向で付勢する付勢体を更に備えることを特徴とする。
【００１４】
この構成によれば、切欠きを有する第一のカードに対しては、付勢体の付勢力によってスライド部材を回動させて係合部を確実に係合させることができる。また、切欠きを有さない第二のカードに対しては、付勢体の付勢力により、スライド部材を回動させて係合部を第二のカードに押し付けてカードを保持する付勢力を付与することができる。
【００１５】
また、本発明は、上記構成のカード用コネクタにおいて、前記付勢体が前記ハウジングの一部によって形成されることを特徴とする。
【００１６】
この構成によれば、付勢体を別個に設ける必要がないため、部品点数を少なくして、コネクタの小型化に寄与し得る。
【発明の効果】
【００１７】
本発明によれば、切欠きを有するカードおよび切欠きを有さないカードの両方を安定して装着できるとともに、小型化（省スペース化）を効果的に図ることができるカード用コネクタを提供できる。
【図面の簡単な説明】
【００１８】
【図１】本発明に係るカード用コネクタの実施の形態を示す図であり、カード用コネクタの斜視図である。
【図２】本発明に係るカード用コネクタの実施の形態を示す図であり、カバーを外したカード用コネクタの斜視図である。
【図３】図１のカード用コネクタのスライド部材の斜視図である。
【図４】（ａ）はスライド部材付近の要部平面図、（ｂ）は（ａ）のＡ−Ａ断面図である。
【図５】（ａ）は薄型カードをコネクタの装着空間に挿入した排出位置における状態図、（ｂ）は装着位置における状態図である。
【図６】（ａ）は薄型カードをコネクタの装着空間に挿入した際のスライド部材の回動状態を挿入口側から見た部分拡大正面図、（ｂ）はその全体正面図である。
【図７】（ａ）は厚型カードをコネクタの装着空間に挿入した排出位置における状態図、（ｂ）は装着位置における状態図である。
【図８】（ａ）は厚型カードをコネクタの装着空間に挿入した際のスライド部材の位置状態を挿入口側から見た部分拡大正面図、（ｂ）はその全体正面図である。
【図９】（ａ）は薄型カードの上面図、（ｂ）は下面図である。
【図１０】（ａ）は厚型カードの下面図、（ｂ）は上面図である。
【発明を実施するための形態】
【００１９】
以下、本発明の実施の形態について添付図面を参照して詳細に説明する。なお、以下においては、本発明を薄型カード（第二のカード）および厚型カード（第一のカード）の２種類のカードを挿入可能としたコンバイン型のカード用コネクタに適用する場合について説明する。しかしながら、本実施の形態に係るカード用コネクタの適用対象については、これに限定されるものではなく適宜変更が可能である。
【００２０】
まず、本発明の実施の形態に係るカード用コネクタについて説明する前に装着対象となる薄型カードおよび厚型カードについて説明する。図９は、本発明の実施の形態に係る薄型カードの平面図であり、（ａ）は上面図、（ｂ）は下面図を示している。図１０は、本発明の実施の形態に係る厚型カードの平面図であり、（ａ）は下面図、（ｂ）は上面図を示している。
【００２１】
図９（ａ）、（ｂ）に示すように、薄型カード４１は、挿入方向に一定の厚み（約１．４ｍｍ）で形成されたいわゆるマルチメディアカード（ＭＭＣ）であり、上面視略矩形状に形成されている。薄型カード４１の一の角部には、切り欠かれて約４５度に傾斜した傾斜面４２が形成されている。傾斜面４２は、薄型カード４１の挿入方向を識別するのに用いられ、この傾斜面４２が形成されている側が挿入方向における先端側とされ、逆側が挿入方向における後端側とされる。また、薄型カード４１の先端側には、カード用コネクタ１の複数のコンタクト端子１１に接触する複数のパッド４３が設けられている。
【００２２】
図１０（ａ）、（ｂ）に示すように、厚型カード４５は、薄型カード４１よりも厚い（約２．１ｍｍ）厚みで形成されたいわゆるＳＤカードであり、上面視略矩形状に形成されている。また、厚型カード４５は、薄型カード４１の仕様に基づいて構成されており、正面視において上段が薄型カードと同一の幅を有する段状に形成されている。厚型カード４５の一の角部には、薄型カード４１と同様に切り欠かれて約４５度に傾斜した挿入方向識別用の傾斜面４６が形成されている。
【００２３】
また、厚型カード４５の傾斜面４６が形成された先端側には、挿入方向に延在する複数の仕切りによって溝部４７が形成されている。この溝部４７には、カード用コネクタ１の複数のコンタクト端子１１に接触する複数のパッド４８が設けられている。更に、厚型カード４５の一の側面には、後述するスライド部材６の係合部４０が係合可能な切欠き４９が設けられている。また、厚型カード４５の他の側面には、カード内のメモリに対する書き込み禁止用の操作部５５が設けられている。
【００２４】
次に、図１および図２を参照して、カード用コネクタの全体構成について説明する。図１は、本発明の実施の形態に係るカード用コネクタの斜視図である。図２は、本発明の実施の形態に係るカード用コネクタの分解斜視図である。
【００２５】
図１および図２に示すように、本実施の形態に係るカード用コネクタ１は、上面および前面が開口されたコネクタ本体２と、コネクタ本体２の上面の開口に装着されてカードの装着空間Ｓを形成するカバー３とを備え、コネクタ本体２およびカバー３が組み合わされて挿入口４を有する箱状体（ハウジング）を成している。挿入口４は、正面視において厚型カード４５と相補的な形状を有している。厚型カード４５は挿入口４の段状領域に挿入され（図８の（ｂ）参照）、薄型カード４１は挿入口４の上段の矩形領域に挿入される（図６の（ｂ）参照）。
【００２６】
コネクタ本体２の底壁２ｂの中央部分には、複数のコンタクト端子１１が設けられている。底壁２ｂに設けられた各コンタクト端子１１は、底壁２ｂの中央部分から奥壁２ａ側に向かって延在している。コネクタ本体２の一の側壁２ｃには、厚型カード４５の書き込み禁止状態を検出するスイッチ端子１２が設けられている。スイッチ端子１２は、挿入方向に延在する片持ちの金属バネであり、厚型カード４５の操作部５５の設定位置に応じて押し下げられることで書き込み禁止状態を検出する。
【００２７】
コネクタ本体２の他の側壁２ｄには、側壁２ｄに沿ってスライド可能なスライド部材６と、スライド部材６のスライドに伴って伸縮するコイル状の排出バネ（付勢部材）７とが設けられている。排出バネ７は、一端が奥壁２ａに当接され、他端がスライド部材６に当接されており、スライド部材６を排出方向に付勢している。
【００２８】
スライド部材６は、排出バネ７に付勢された状態で挿入および排出方向にスライド可能に構成されている。スライド部材６の前端側には周知のハートカム溝５０が形成されており、このハートカム溝５０と側壁２ｄの前端側に設けられたピン１３とによってスライド部材６の位置が周知の態様で規定される。ピン１３は、スライド方向に沿って延在し、両端が底壁２ｂに向かって略直角に屈曲している。ピン１３の一端は、側壁２ｄの前端側に回動可能に支持され、他端はスライド部材６のハートカム溝５０上に摺動される。
【００２９】
ハートカム溝５０は、複数の段差と傾斜を有して上面視ハート型の環状に形成されており、スライド部材６のスライドに応じてピン１３の他端を一方向に摺動させる。スライド部材６が奥壁２ａ近傍の装着位置に押し込まれると、ピン１３の他端がハートカム溝５０の係止部分に係止され、排出バネ７の付勢によるスライド部材６の復帰が規制される。この状態からさらにスライド部材６が押し込まれると、ピン１３とハートカム溝５０との係止状態が解除されて、排出バネ７の付勢によりスライド部材６が復帰される。このように、ピン１３とハートカム溝５０は、スライド部材６の装着位置における保持機能を有している。
【００３０】
一方、カバー３は、金属性の板材を折り曲げて形成されており、上面の側壁２ｄに対応する部分にはピン１３を押えるピン押え２１が形成されている。ピン押え２１は、底壁２ｂ側に切り起された片持ちバネであり、ピン１３の中間部分を下方に押圧してピン１３の他端をハートカム溝５０に押し付けている。また、カバー３上面の挿入口４側の略半部には、カード４１、４５の飛び出し防止用の一対の制動片５６が形成されている。一対の制動片５６は、底壁２ｂ側に僅かに切り起された片持ちバネであり、カード４１、４５の上面に接触して、カード４１、４５の排出時の飛び出しを抑制している。
【００３１】
次に、図３等を参照して、本発明の特徴部分であるスライド部材６の詳細構成について説明する。図３は、本発明の実施の形態に係るスライド部材６の斜視図である。
【００３２】
図示のように、スライド部材６は、その移動方向に沿って延びる本体部６ａと、本体部６ａの後端部からカード装着空間Ｓ内へ向けて側方へ延びる腕部３２が形成されている。腕部３２の側面は、スライド部材６の後端に向かって装着空間Ｓの幅方向を狭めるような傾斜面３２ａであり、カード４１、４５の傾斜面４２、４６に当接するように約４５度に傾斜している。
【００３３】
また、本体部６ａの装着空間Ｓ側には、厚型カード４５の切欠き４９と係合して厚型カード４５を抜け止め保持する係合部４０が設けられている。係合部４０の前面には、カード４１、４５を腕部３２に当接させる当接位置に案内する傾斜面４０ａが形成されている。なお、本体部６ａの後端側には、排出バネ７の他端が装着される図示しない排出バネ装着部が形成されている。
【００３４】
また、本実施形態において、係合部４０を有するスライド部材６は、付勢部材としての排出バネ７の中心軸Ｏをほぼ中心として回動できるようにコネクタ本体２側に支持されている。この場合、スライド部材６は、コネクタ本体２の側壁２ｄとこれに対向して立設される支持壁２ｅと底壁２ｂとからなる移動案内面６９（特に、図６、図８参照）上に配置される。スライド部材６は、移動案内面６９に摺動する特徴的形態である摺動面を有しており、この摺動面と移動案内面６９との回動方向の摺動により排出バネ７の中心軸Ｏをほぼ中心として回動される。
【００３５】
スライド部材６の前記特徴的形態の摺動面は、移動案内面６９と対向するスライド部材６の本体部６ａの下面に形成されており、スライド部材６の回動を円滑に行なえるようにする少なくとも２つの傾斜面を有している。本実施形態では、スライド部材６に摺動面として側壁２ｄと略対向する第１の傾斜面６４と、底壁２ｂおよび支持壁２ｅと略対向する第２の傾斜面６５とが設けられている。そして、スライド部材６は、この摺動面を介して挿入・排出方向に移動するとともに、ほぼ中心軸Ｏ周りに回動する。なお、傾斜面の数は２つに限定されず、任意の数および傾きの傾斜面を設けることができる。また、傾斜面の代わりに湾曲面を設けるようにしてもよい。
【００３６】
なお、スライド部材６は、排出バネ７の中心軸Ｏをほぼ中心とするその回動がコネクタ本体２またはカバー３の内壁によって妨げられないように、その本体部６ａの上縁部が面取りされた湾曲面６３として形成されている。なお、湾曲するような面取りの代わりに傾斜するように面取りしてもよい。また、スライド部材６の回動に伴って腕部３２が下側のコンタクト端子１１と干渉しないように、腕部３２の下面は、装着空間Ｓ内へ向かうにしたがって厚さが薄くなるように上方へ向かって傾斜する傾斜面６２として形成されている。
【００３７】
また、本実施形態のコネクタ１は、係合部４０を厚型カード４５の切欠き４９に係合させる方向にスライド部材６を付勢する付勢体を備えている。具体的に、この付勢体は、カバー３の一部を装着空間Ｓ側へ向けて切り起こした片持ち梁状のバネ片５２によって形成される（図１参照）。バネ片５２は、中心軸Ｏを挟んで係合部４０とは逆側を下方に付勢し、スライド部材６を時計回りに回動させる。なお、付勢体は、カバー３に一体に形成されたバネ片５２に限定されず、中心軸Ｏをほぼ中心としてスライド部材６を時計回りに回動させるべく付勢するものであればよい。
【００３８】
次に、図４を参照して、スライド部材６に対するピン１３による付勢構造について説明する。図４（ａ）はスライド部材付近の要部平面図、（ｂ）は（ａ）のＡ−Ａ断面図である。
【００３９】
図４（ａ）に示すように、カード４１、４５の排出時には、ピン１３の他端が中心軸Ｏを挟んで係合部４０とは逆側（図示右側）に位置される。このため、ピン押え２１の付勢力が、ピン１３を介してスライド部材６における中心軸Ｏを挟んで係合部４０の逆側を下方に付勢する。よって、スライド部材６は、図４（ｂ）に示すように、中心軸Ｏをほぼ中心としてスライド部材６が矢印に示す時計回り方向に力が作用する。
【００４０】
このように、スライド部材６は、排出位置にスライドされると、ピン押え２１の付勢力とバネ片５２により、係合部４０をカード４１、４５に向かわせる方向に付勢される。したがって、薄型カード４１の排出時には、薄型カード４１が係合部４０により下方から押し上げられ、カバー３の上面に押し付けられる。このため、薄型カード４１は、カバー３に押し付けられることで、不用意な脱落が抑制される。
【００４１】
また、厚型カード４５の排出時には、係合部４０が厚型カード４５の切欠き４９に下方から押し込まれ、スライド部材６と厚型カード４５との抜け外れが抑制される。このとき、ピン押え２１およびバネ片５２の付勢力により、係合部４０の押し下げが抑制され、係合部４０と切欠き４９とが強く係合される。このため、厚型カード４５は、係合部４０と切欠き４９との係合により、不用意な脱落が抑制される。
【００４２】
次に、上記構成のカード用コネクタ１の作用について説明する。この場合、最初に、図５および図６を参照して薄型カード４１の挿入動作について説明し、次に、図７および図８を参照して厚型カード４５の挿入動作について説明する。
【００４３】
図５および図６に示されるように、薄型カード４１を挿入口４の上段の矩形領域（図６の（ｂ）参照）を通じて装着空間Ｓ内へと挿入していくと、カード４１の下面がスライド部材６の係合部４０に突き当たる。薄型カード４１は、装着空間Ｓにさらに挿入されることで、係合部４０の傾斜面４０ａに乗り上がり、スライド部材６の腕部３２に当接される。このとき、カード４１が係合部４０に乗り上がることにより、その下向きの押圧力によってスライド部材６が反時計まわりに回動される。この場合、スライド部材６は、排出バネ７の中心軸Ｏをほぼ中心として摺動面（傾斜面６４，６５）を介して回動し（図６参照）、カード４１の挿入経路を確保する。
【００４４】
また、この場合、腕部３２はその下面が傾斜面６２として形成されているため、スライド部材６の回動によって腕部３２がその下側のコンタクト端子１１と干渉することはない。更に、このようにスライド部材６が回動した状態では、バネ片５２の付勢力により、係合部４０がカード４１の下面を押圧してカード４１がスライド部材６に保持される。そして、腕部３２にカード４１の傾斜面４２が当接した時点（図５の（ａ）に示される排出位置）から更にカード４１を奥側に押し込むと、前記保持力も手伝ってスライド部材６がカード４１と一体で排出バネ７の付勢力に抗して奥側へ移動され、最終的に図５の（ｂ）に示される装着位置に至る。
【００４５】
一方、カード４１を排出させる場合には、カード４１を奥側へさらに押し込むことにより、ピン１３の他端がハートカム溝５０の係止部分から外れるため、排出バネ７の付勢力によってカード４１が排出方向に押し出される。図５の（ａ）に示される排出位置では、付勢体５２とピン１３との相乗作用に伴う付勢力によりカード４１がスライド部材６に保持されるため、カード４１の脱落が防止される。
【００４６】
すなわち、図５の（ａ）に示される排出位置では、ピン１３の他端(作用点)は、スライド部材６の幅方向の右端側位置に位置されるため、付勢体５２と協働してスライド部材６を時計回りに回動させるべく付勢する。したがって、付勢体５２およびピン１３の付勢力により係合部４０がカード４１の下面に押し当てられ、カード４１の脱落が効果的に防止される。
【００４７】
一方、図７および図８に示されるように、厚型カード４５を挿入口４の段状領域を通じて（図８の（ｂ）参照）装着空間Ｓ内へと挿入していくと、カード４５の上段の下面がスライド部材６の係合部４０に突き当たる。厚型カード４５は、装着空間Ｓにさらに挿入されることで、係合部４０の傾斜面４０ａに乗り上がり、スライド部材６の腕部３２に当接される。このとき、カード４５が係合部４０に乗り上がることにより、その下向きの押圧力によってスライド部材６が反時計まわりに回動される。この場合、スライド部材６は、排出バネ７の中心軸Ｏをほぼ中心として摺動面（傾斜面６４，６５）を介して回動し（図６参照）、カード４５の挿入経路を確保する。
【００４８】
また、この場合、腕部３２はその下面が傾斜面６２として形成されているため、スライド部材６の回動によって腕部３２がその下側のコンタクト端子１１と干渉することはない。そして、腕部３２にカード４５の傾斜面４６が付きあたる排出位置（図７の（ａ）に示される）でカード４５の切欠き４９が係合部４０と対向すると、付勢体５２の付勢力によりスライド部材６が回動復帰して（図８の（ａ）参照）、係合部４０がカード４５の切欠き４９と係合する。
【００４９】
また、この場合、ピン１３も、スライド部材６の幅方向の右端側位置に位置されるため、付勢体５２と協働してスライド部材６を時計回りに回動させるべく付勢して、係合部４０と切欠き４９との係合に寄与する。すなわち、排出位置では、ピン１３も付勢体としての機能を果たす。その後、図７の（ａ）に示される排出位置から更に厚型カード４５を奥側に押し込むと、前記係合状態によりスライド部材６がカード４５と一体で排出バネ７の付勢力に抗して奥側へ移動され、最終的に図７の（ｂ）に示される装着位置に至る。
【００５０】
一方、カード４５を排出させる場合には、カード４５を奥側へさらに押し込むことにより、ピン１３の他端がハートカム溝５０の係止部分から外れるため、排出バネ７の付勢力によってカード４１が排出方向に押し出される。図７の（ａ）に示される排出位置では、付勢体５２とピン１３との相乗作用に伴う付勢力によりスライド部材６の係合部４０がカード４５の切欠き４９に係合した状態で保持されるため、カード４１の不用意な脱落が防止される。
【００５１】
以上説明したように、本実施形態によれば、係合部４０を有するスライド部材６がスライド方向に略平行な軸回りに回動可能にコネクタ本体（ハウジング）２に支持されているため、最小限の移動量（移動範囲）で係合部４０を厚型カード４５の切欠き４９に係合させることができる。そのため、切欠き４９を有する厚型カード４５に対しては、係合部４０を厚型カード４５の切欠き４９に係合させることで抜け止めを行なうことができる。一方、切欠きを有さないカード４１に対しては、係合部４０が薄型カード４１から押し逃がされるようにスライド部材６が回動することで、薄型カード４１の装着を可能にする。この場合、係合部４０は、弾性的に変位してカードに押し付くのではなく、スライド部材６と一体に回動してカードから退避するため、無理な力がかかって経時的に塑性変形することもない。すなわち、本構成によれば、カード用コネクタ１の小型化（省スペース化）を効果的に図りつつ、切欠き４９を有する厚型カード４５および切欠きを有さない薄型カード４１の両方を安定して装着できる。
【００５２】
また、本実施形態によれば、スライド部材６が排出バネ（付勢部材）７のほぼ中心軸Ｏ周りで回動するため、スライド部材６の回動に伴って排出バネ７が軸振れすることがない。よって、排出バネ７の軸振れ時の逃げスペースを確保する必要がなく、カード用コネクタ１の更なる小型化（省スペース化）を図ることができる。また、スライド部材６の回動に伴って排出バネ７が軸振れしないため、スライド部材６のカード排出方向への安定した付勢を確保できる。
【００５３】
また、本実施形態において、スライド部材６は、コネクタ本体２に摺接するその摺動面を介して移動するとともに、前記摺動面の傾斜面６４，６５によってコネクタ本体２に対して回動できる。このように構成によれば、傾斜面６４，６５を有する前記摺動面により、カードの厚み方向でのスライド部材６の回動と、カードの挿入・排出方向でのスライド部材６の移動とを簡単な構成で実現できる。
【００５４】
また、本実施形態のカード用コネクタ１は、係合部４０をカードと係合させるようにスライド部材６をその回動方向で付勢する付勢体としてのバネ片５２を更に備えている。このため、切欠き４９を有する厚型カード４５に対しては、バネ片５２の付勢力によって係合部４０をスライド部材６に確実に係合させることができる。また、切欠きを有さない薄型カード４１に対しては、係合部４０を薄型カード４１に押し付けて薄型カード４１に制動力を付与することができる。
【００５５】
また、本実施形態では、付勢体５２がカバー（ハウジング）３の一部によって形成されているため、付勢体を別個に設ける必要がなく、部品点数を少なくして、コネクタの小型化に寄与し得る。
【００５６】
なお、本実施形態では、スライド部材６が排出バネ７のほぼ中心軸Ｏ回りに回動する構成としたが、この構成に限定されるものではない。スライド部材６は、スライド方向に略平行な軸回りに回動する構成であれば、どのような構成でもよい。また、スライド部材６に設けられた係合部４０は、スライド部材６と一体に設けられてもよいし、別体に設けられてもよい。また、付勢体は、カバー３と一体でもよいし、別体に設けられてもよい。さらに、付勢体は、カバー３ではなく、コネクタ本体２に設けられる構成としてもよい。
【００５７】
なお、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００５８】
以上説明したように、本発明は、切欠きを有するカードおよび切欠きを有さないカードの両方を安定して装着できるとともに、小型化（省スペース化）を効果的に図ることができるという効果を有し、特に、薄型カードに対応したカード用コネクタに有用である。
【符号の説明】
【００５９】
１  カード用コネクタ
２  コネクタ本体（ハウジング）
３  蓋体（ハウジング）
６  スライド部材
７  排出バネ（付勢部材）
４０  係合部
４１  薄型カード（第二のカード）
４５  厚型カード（第一のカード）
４９  切欠き
５２  バネ片（付勢体）
【図１】
2011258503.tif 000003
【図２】
2011258503.tif 000004
【図３】
2011258503.tif 000005
【図４】
2011258503.tif 000006
【図５】
2011258503.tif 000007
【図６】
2011258503.tif 000008
【図７】
2011258503.tif 000009
【図８】
2011258503.tif 000010
【図９】
2011258503.tif 000011
【図１０】
2011258503.tif 000012